(57)【要約】【課題】引戸重量等に応じた引きバネのバネ力の調節を下方から簡単にできるようにする。【解決手段】戸枠内でスライドする引戸にスライドアシスト力としてのバネ力を加える引きバネ１７と、この引きバネ１７のバネ力を調節するバネ力調節機構２１とを具備する。バネ力調節機構２１は、引戸側に固定されるハウジング２２と、外部から操作されてハウジング２２内で垂直軸まわりに回転する回転部材２３と、引きバネ１７の一端に連結されてハウジング２２内で引きバネ１７の伸縮方向にスライドするスライダー２４とから成り、回転部材２３に設けられた渦巻状のカム３０と、スライダー２４に設けられた突起３５の係合作用により、スライダー２４をスライドさせてバネ力を調節するように構成した。【選択図】図５
2008095306.tif 000002
【特許請求の範囲】
【請求項１】
戸枠内でスライドする引戸に対して、開き方向または閉じ方向のスライドアシスト力を加える引戸のスライドアシスト装置であって、上記引戸にスライドアシスト力としてのバネ力を加える状態で引戸と戸枠との間に設けられた引きバネと、この引きバネのバネ力を調節するバネ力調節機構とを備え、このバネ力調節機構は、引戸側に固定されるハウジングと、このハウジング内で垂直軸まわりに回転する回転部材と、上記引きバネの一端に連結されてハウジング内で引きバネの伸縮方向にスライドするスライダーとから成り、上記回転部材には、同部材の内周側から外周側に向かって渦巻状に延びるカムが設けられ、上記スライダーには、上記カムに係合して回転部材の回転運動をスライダーのスライド運動に変換する突起がスライダーのスライド方向の複数個所に間隔を置いて設けられ、かつ、上記回転部材を外部から回転操作するための操作体が、ハウジング下面側から操作し得る状態で回転部材に設けられたことを特徴とする引戸のスライドアシスト装置。
【請求項２】
スライダーのスライド量を引きバネのバネ力の強弱度として外部に表示するバネ力表示手段が設けられたことを特徴とする請求項１記載の引戸のスライドアシスト装置。
【請求項３】
バネ力表示手段は、ハウジングに設けられた覗き窓を通して、目盛りと指針とによってスライダーのスライド量を外部に表示するように構成されたことを特徴とする請求項２記載の引戸のスライドアシスト装置。
【請求項４】
チューブと、このチューブに嵌入されたピストン付きの中空ロッドとによって伸縮自在なシリンダが構成され、バネ力調節機構のハウジングがこのシリンダのヘッド側端部に取付けられるとともに、引きバネの先端がシリンダのロッド側端部に止め付けられ、引きバネのバネ力がシリンダを介して引戸にスライドアシスト力として加えられるように構成されたことを特徴とする請求項１乃至３のいずれか１項に記載の引戸のスライドアシスト装置。
【発明の詳細な説明】
【技術分野】
【０００１】
本発明は戸枠内で左右にスライドして開口部を開閉する引戸に閉じ方向または開き方向のアシスト力を加える引戸のスライドアシスト装置に関するものである。
【背景技術】
【０００２】
スライドアシスト装置は、一般には引戸(吊り戸タイプのものを含む)の自動閉じ装置として使用され、原理的には、引戸と戸枠との間に設けた引きバネのバネ力を閉じ方向に加えるように構成される(たとえば特許文献１,２参照)。
【０００３】
このスライドアシスト装置の基本的な構成と作用を図９,１０によって説明する。
【０００４】
１は戸枠で、この戸枠１内で引戸２が左右にスライドして開口部を開閉する。ここでは引戸２が図の右側にスライドして閉じ、左側にスライドして開くようになっている。
【０００５】
このスライド構造として、戸枠１の上側にガイドレール３が水平に取付けられる一方、引戸２の上部において左右(開き側及び閉じ側)の両端部に前後一対ずつで左右二組(計４個ずつ)のガイドローラ４…,５…がローラ支持体６,７を介して取付けられ、このガイドローラ４…,５…がガイドレール３内で転動する。
【０００６】
左右のローラ支持体６,７は、ガイドローラ４…,５…の上下位置(引戸２の上下位置)を調整するための上下調整機構(図ではそのフレームのみを示す)８,９を介して引戸２に取付けられる。
【０００７】
図右側(閉じ側端部)のローラ支持体７には枠体１０の一端側が連結されて、枠体１０が一端フリーの片持ち状態で支持されている。
【０００８】
この枠体１０は、図１０に示すように相対向する断面Ｕ字形の下枠１１と上枠１２が内外嵌合状態で結合されることによって中空の四角筒状に形成され、そのフリー側の端部に前後一対の補助ローラ１３,１３が取付けられている。
【０００９】
このように、左右のガイドローラ４…,５…と、枠体１０と、補助ローラ１３,１３がガイドレール３内に組み込まれ、ガイドローラ４…,５…によって引戸２が戸枠１に左右スライド自在に吊持されるとともに、枠体１０が引戸２と一体にガイドレール３内で左右にスライドするように構成されている。
【００１０】
枠体１０内にはシリンダ１４が設けられている。
【００１１】
このシリンダ１４は、ピストン１５ａを備えた中空のロッド１５とチューブ１６が相嵌合されてテレスコープ状に伸縮自在に構成され、チューブ１６の端部が枠体１０のフリー側端部に止め付けられることにより、シリンダ１４が一端フリーの片持ち状態で枠体１０内に取付けられている。
【００１２】
このシリンダ１４内には引きバネ(引っ張りコイルバネ)１７が収容され、その一端がロッド１５の先端部(ロッド側端部)に、他端がチューブ１６の基端部(ヘッド側端部)にそれぞれ止め付けられることにより、引きバネ１７のバネ力がシリンダ縮小方向に作用するように構成されている。
【００１３】
引きバネ１７のバネ力を引戸２に伝えるバネ力伝達機構は、引戸側のスライド部材１８と、戸枠側の受け部材１９とによって構成される。
【００１４】
スライド部材１８は、シリンダ１４のロッド側端部(ロッド１５の先端部)に水平軸まわりに回動可能に取付けられた状態で枠体１０内にスライド自在に収容されている。
【００１５】
このスライド部材１８には、枠体１０(上枠１２)の上面部に設けられたガイド溝２０から上向きに突出する突起１８ａを有し、引戸２の閉じ動作の中間ストロークで、図９に示すようにこの突起１８ａが受け部材１９に係合する。
【００１６】
これにより、引きバネ１７のバネ力が受け部材１９に受け止められ、残りの閉じストロークでバネ力が枠体１０を通じて引戸２に閉じ方向の力(スライドアシスト力)として加えられる。これにより、引戸２が閉じ位置まで自動的にスライドする。
【００１７】
このとき、シリンダ１４のピストン１５ａにより一定の抵抗が与えられ、このダンパー作用によって引戸２が緩やかに閉じる。
【特許文献１】実開昭５７−７７５７０号公報
【特許文献２】特開２００３−１３８８２８号公報
【発明の開示】
【発明が解決しようとする課題】
【００１８】
上記のような従来のスライドアシスト装置において、引戸２に加えられるスライドアシスト力を決定する引きバネ１７のバネ力は常に一定であるため、たとえば重い引戸の場合に閉じ速度が遅過ぎる等、引戸重量や用途等によってアシスト力の過不足が生じていた。
【００１９】
この点の対策として、バネ力が異なる複数種類のスライドアシスト装置を引戸重量等に応じて使い分け、あるいはその都度引きバネ１７を取り替えることが考えられるが、いずれもコスト高となるため得策でない。
【００２０】
一方、公知のバネ力調節機構を転用し、必要に応じてバネ力を調節することが考えられる。
【００２１】
この場合、公知のバネ力調節機構では、引きバネの一端側にバネ受けを取付け、このバネ受けをねじによってバネ伸縮方向に移動させる構成がとられているため、これをそのスライドアシスト装置のバネ力調節に転用すると、戸枠上面側の高所に位置する水平ねじを脚立に乗って横から窮屈な姿勢で操作しなければならないため、調節作業が非常に面倒なものとなる。
【００２２】
そこで本発明は、引戸重量等に応じた引きバネのバネ力の調節を下方から簡単に行うことができる引戸のスライドアシスト装置を提供するものである。
【課題を解決するための手段】
【００２３】
請求項１の発明は、戸枠内でスライドする引戸に対して、開き方向または閉じ方向のスライドアシスト力を加える引戸のスライドアシスト装置であって、上記引戸にスライドアシスト力としてのバネ力を加える状態で引戸と戸枠との間に設けられた引きバネと、この引きバネのバネ力を調節するバネ力調節機構とを備え、このバネ力調節機構は、引戸側に固定されるハウジングと、このハウジング内で垂直軸まわりに回転する回転部材と、上記引きバネの一端に連結されてハウジング内で引きバネの伸縮方向にスライドするスライダーとから成り、上記回転部材には、同部材の内周側から外周側に向かって渦巻状に延びるカムが設けられ、上記スライダーには、上記カムに係合して回転部材の回転運動をスライダーのスライド運動に変換する突起がスライダーのスライド方向の複数個所に間隔を置いて設けられ、かつ、上記回転部材を外部から回転操作するための操作体が、ハウジング下面側から操作し得る状態で回転部材に設けられたものである。
【００２４】
請求項２の発明は、請求項１の構成において、スライダーのスライド量を引きバネのバネ力の強弱度として外部に表示するバネ力表示手段が設けられたものである。
【００２５】
請求項３の発明は、請求項２の構成において、バネ力表示手段は、ハウジングに設けられた覗き窓を通して、目盛りと指針とによってスライダーのスライド量を外部に表示するように構成されたものである。
【００２６】
請求項４の発明は、請求項１乃至３のいずれかの構成において、チューブと、このチューブに嵌入されたピストン付きの中空ロッドとによって伸縮自在なシリンダが構成され、バネ力調節機構のハウジングがこのシリンダのヘッド側端部に取付けられるとともに、引きバネの先端がシリンダのロッド側端部に止め付けられ、引きバネのバネ力がシリンダを介して引戸にスライドアシスト力として加えられるように構成されたものである。
【発明の効果】
【００２７】
本発明によると、引きバネの伸縮方向にスライドするスライダーと、垂直軸まわりに回転する回転部材をハウジングに設けてバネ力調節機構を構成し、回転部材の操作体をハウジング下面側(下方)から回転操作して回転部材を回転させることにより、渦巻状のカムと突起の噛み合い作用でスライダーをスライドさせてバネ力を調節する構成としたから、新設の場合は引戸取付前の段階で、後調節の場合は引戸を取外した状態で、フロアに立ったまま上向きで操作することができる。
【００２８】
このため、バネ力(スライドアシスト力)の調節を楽な姿勢で簡単、迅速に行うことができる。
【００２９】
この場合、請求項２,３の発明によると、外部表示手段(請求項３では目盛りと指針)により、スライダーのスライド量を引きバネのバネ力の強弱度として外部に表示する構成としたから、調節作業をより簡単に、そして的確に行うことができる。
【００３０】
また、請求項４の発明によると、引きバネのバネ力がシリンダを介して引戸にスライドアシスト力として加えられるスライドアシスト装置において、引きバネの先端をシリンダのロッド側端部に止め付け、バネ力調節機構のハウジングをシリンダのヘッド側端部に取付ける構成としたから、バネ力調節機構を装置に無理なく簡単に組み込むことができる。
【００３１】
この場合、ハウジングをシリンダのヘッドカバーとして兼用する構成とすることにより、スライドアシスト装置を少ない部品点数でコンパクトに組立てることができる。
【発明を実施するための最良の形態】
【００３２】
本発明の実施形態を図１〜図８によって説明する。
【００３３】
基本実施形態（図１〜図７参照）
基本実施形態において、スライドアシスト装置の基本的構成と作用、すなわち、
(ｉ)  左右のガイドローラ４…,５…と、下枠１１及び上枠１２から成る枠体１０がガイドレール３内に組み込まれ、ガイドローラ４…,５…によって引戸２が戸枠１に左右スライド自在に吊持されるとともに、枠体１０が引戸２と一体にガイドレール３内で左右にスライドするように構成される点、
(ｉｉ)  枠体１０内にシリンダ１４が一端フリーの片持ち状態で設けられ、このシリンダ１４に内蔵された引きバネ１７のバネ力が、引戸２の閉じ動作の中間ストロークで、スライド部材１８と受け部材１９からなるバネ力伝達機構を介して引戸２にスライドアシスト力として加えられる点、
は、図９,１０に示す従来のスライドアシスト装置と同じである。
【００３４】
この従来装置と同一部分には同一符号を付して示し、その重複説明を省略する。
【００３５】
従来のスライドアシスト装置と異なる構成として、引きバネ１７のバネ力を調節するバネ力調節機構２１がシリンダ１４のヘッド側端部に設けられている。
【００３６】
このバネ力調節機構２１は、シリンダ１４のヘッド側端部(チューブ１６の基端部)に取付けられたハウジング２２と、このハウジング２２内で垂直軸まわりに回転する円板状の回転部材２３と、引きバネ１７の一端に連結されてハウジング２２内で引きバネ１７の伸縮方向にスライドするスライダー２４とによって構成される。
【００３７】
ハウジング２２は、上カバー２５と下カバー２６が結合されて構成され、両カバー結合状態で筒状に形成される対シリンダ取付部２７がシリンダチューブ１６の基端部に嵌入固定されることにより、ハウジング２２がシリンダ１４のヘッド側端部にヘッドカバーを兼用する状態で取付けられる。
【００３８】
こうしてバネ力調節機構２１をスライドアシスト装置(シリンダ１４)に簡単に組み込むことができる。しかも、ハウジング２２がシリンダ１４のヘッドカバーを兼用するため、スライドアシスト装置を少ない部品点数でコンパクトに組立てることができる。
【００３９】
なお、ハウジング２２、及び枠体１０の下枠１１のフリー側端部に取付穴２８,２９が設けられ、ハウジング２２がこの取付穴２８,２９により下枠１１のフリー側端部にねじ止めされる。
【００４０】
また、下カバー２６の下面側に前後一対の凸部２６ａ,２６ａが設けられ、この凸部２６ａ,２６ａが、図９,１０に示す従来装置における補助ローラ１３,１３に代わる滑子としてガイドレール３の底壁に接し、シリンダ１４のヘッド側端部を支持しながら摺動する。
【００４１】
回転部材２３には、図６等に示すように上面側に、同部材２３の内周側から外周側に向かって渦巻状に延びるカム３０が凸壁として設けられている。
【００４２】
また、同部材２３の下面中心部に軸状の操作体３１が下向き垂直に突設され、この操作体３１が、ハウジング２２(下カバー２６)及び枠体１０(下枠１１)に設けられた操作穴３２,３３(図５参照)から外部に導出されている。
【００４３】
操作体３１の下端面にはドライバー溝３１ａ(図４,７参照)が設けられ、ドライバー３４によりこの操作体３１が回転操作されて回転部材２３(カム３０)がハウジング２２内で回転する。
【００４４】
カム３０は、図例では３６０°強の範囲に亘って設けられ、スライダー２４に下向きに突設された突起３５がこのカム３０に係合している。
【００４５】
突起３５は、スライダー２４のスライド方向の複数個所に間隔を置いて設けられ、回転部材２３の回転に伴いこの突起３５…が先端側のものから順次カム３０に係合する。
【００４６】
図６はカム３０に対する突起３５の相対的な移動状況を示し、カム３０の回転力が突起３５(スライダー２４)の水平方向の移動力に変換される。
【００４７】
この作用によりスライダー２４がハウジング２２内でスライドし、これにより引きバネ１７が伸縮してそのバネ力が調節される。
【００４８】
このバネ力調節機構２１によると、引戸２を新設する場合は上下調整機構８,９に引戸２を取付ける前の段階で、また引戸２を取付けた後に調節する場合は上下調整機構８,９から引戸２を取外した状態で、図４に示すように下面側からドライバー３２で回転部材２３を回転操作することによって引きバネ１７のバネ力を調節することができる。
【００４９】
このため、引きバネ１７の一端に取付けたバネ受けを横からねじ操作して水平に移動させるバネ力調節機構を用いた場合と比較して、バネ力(スライドアシスト力)の調節をフロアに立ったままの楽な姿勢で下方から簡単、迅速に行うことができる。
【００５０】
一方、図５,７に示すように、ハウジング２２の下カバー２６、及び枠体１０の下枠１１の各底壁に左右に長い覗き窓３６,３７が、上下に重なり合って外部からハウジング２２内(スライダー２４)が見える状態で設けられている。
【００５１】
また、下カバー２６の覗き窓３６(下枠１１の覗き窓３７でもよい)の縁部に左右方向に目盛り３８が設けられるとともに、スライダー２４にこの目盛り３８を指す指針３９が設けられている。
【００５２】
指針３９は、たとえば着色された三角形や太線状の凸部または凹部として形成され、スライダー２４とともにこの指針３９が移動して目盛り３８の指示位置が変わることにより、スライダー２４の移動量、すなわち引きバネ１７のバネ力の強弱度が外部に表示される。
【００５３】
こうすれば、バネ力調節作業をより簡単にそして的確に行うことができる。
【００５４】
なお、目盛り３８に代えて「強」「中」「弱」の文字を表示してもよいし、矢印と「強」の文字を表示してもよい。
【００５５】
他の実施形態
(１)  上記実施形態では回転部材２３の操作体３１をドライバー３４で回転操作する構成をとったが、操作体３１を手指でつまんで回転させるようにしてもよい。
【００５６】
この場合、回し易いように操作体３１を角軸状に形成してもよいし、図８に示すように適当な大きさの円盤状のダイヤル４０を設けてもよい。
【００５７】
(２)  上記実施形態では、引きバネ１７のバネ力を引戸２の閉じ方向にスライドアシスト力として加える場合について説明したが、本発明はバネ力を引戸２の開き方向に加える装置としても適用することができる。
【００５８】
(３)  上記実施形態では吊り戸タイプの引戸を適用対象として例示したが、本発明は、引戸重量を戸枠の下側で支える通常の引戸にも適用することができる。
【図面の簡単な説明】
【００５９】
【図１】本発明の基本実施形態にかかるスライドアシスト装置を示す一部断面正面図である。
【図２】同装置の分解斜視図である。
【図３】同装置におけるシリンダとバネ力調節機構の斜視図である。
【図４】同拡大側断面図である。
【図５】バネ力調節機構とその関係部分の拡大分解斜視図である。
【図６】バネ力調節機構の回転部材の平面図である。
【図７】バネ力調節機構を下面側から見た拡大図である。
【図８】本発明の他の実施形態を示す図４相当図である。
【図９】従来のスライドアシスト装置を示す一部断面正面図である。
【図１０】同装置の分解斜視図である。
【符号の説明】
【００６０】
１  戸枠
２  引戸
１４  シリンダ
１５  中空ロッド
１５ａ  ピストン
１６  チューブ
１７  引きバネ
２１  バネ力調節機構
２２  ハウジング
２３  回転部材
２４  スライダー
２５  ハウジングの上カバー
２６  ハウジングの下カバー
２７  ハウジングの対シリンダ取付部
３０  回転部材のカム
３１  操作体
３１ａ  ドライバー溝
３２  操作穴
３５  スライダーの突起
３６,３７  覗き窓
３８  外部表示手段を構成する目盛り
３９  指針
【図１】
2008095306.tif 000003
【図２】
2008095306.tif 000004
【図３】
2008095306.tif 000005
【図４】
2008095306.tif 000006
【図５】
2008095306.tif 000007
【図６】
2008095306.tif 000008
【図７】
2008095306.tif 000009
【図８】
2008095306.tif 000010
【図９】
2008095306.tif 000011
【図１０】
2008095306.tif 000012